(57)【要約】      （修正有）【課題】簡単な形状で小型化、且つ接合強度と引寄せ力を強化し、精度の向上を図った木造構造物の接合装置を提供する。【解決手段】接合装置を、受支側と被受支側に分割した接合金物とし、受支側接合金物３に引寄せ傾斜辺ｂ、ｂ’、引寄せ形状変形孔の傾斜辺を設け接合固定ピンＡ、Ｃを傾斜辺、に点接触させ、常時引寄せ効果を持続させ、受支側接合金物の背面に向け折り曲げた爪状突起により耐力の補完と割裂防止を図る。  受支側接合金物の被受支側接合金物への挿入時の障害にならない様に上端部を半円形ａとし円滑な挿入を可能にしている。被受支側接合金物の中央部に半円形突起Ｇを設け挿入溝内での移動を防止し接合部に接する構造部材同士互いの芯ズレを防止する。【選択図】図１４
2008308973.tif 000002
【特許請求の範囲】
【請求項１】
木造建築物の構造部材同士の接合部を構成する接合金物による接合装置であり、受支材側接合金物には、上下一対の半円形案内引寄せ突起を設けている。
被受支材側接合金物には、取り付けのための調整隙間を補完し、ガタつきを防止する突起を有し、被受支材側接合金物に水平仮置きを設け、ドリフトピンにて夫々を接合する分離型接合金物の組み合わせによる接合装置。
【請求項２】
受支材側接合金物の引寄せ傾斜以外の部分は、受支材側接合金物上端縁を水平にし、引寄せ機能を阻害を防止している。
又、中間部に設けられた孔は引寄せ効果を阻害防止のため受支材側に向かい楕円形とし、接合固定ピンとの間に隙間を設け、受支材側にのみ移動可能な状態で固定している。
【請求項３】
上端部は半円形引寄せ突起、その下端近辺に引寄せ接合固定孔を設け、その孔形状は、受支側接合金物背面方向に大径の半円形、その反対方向に小径の半円形を組み合わせ、引寄せ阻害防止隙間と斜辺を持った台形形状の孔としている。
【発明の詳細な説明】
【技術分野】
【０００１】  本発明は、分離型の接合金物を用いた木造建築物等の接合部に接する構造部材の接合力と耐力の強化、接合金物の小型化を図る事を目的として考案したものである。
【背景技術】
【０００２】  従来、木製構造部材の接合部は、使用する構造部材の断面を切削し蟻、鎌と言った形状の雌雄の仕口を成形し、それらを組み合わせ構成していた。
しかしながら、当然の事として木材の断面を切削するため、強度補完をしなくてはならず羽子板ボルトに代表される補助金物等を用いているのが現状である。【０００３】  又、木材と異なり金属の場合は、その材質の硬度により殆ど変形しないため所定の形状と異なると各々が干渉しあい接合出来なくなり、組み立て困難な情況に至ってしまう、この様な情況を避けるため、多くの接合金物はドリフトピン、固定釘等の径に対し数ミリ大きめの孔を穿つことで対応しているのが現状で、そのドリフトピンが接合金物に直接接触している部分は底部のみであり、直接接触している部分が少ないため構造体の揺れの原因ともなっている。
【発明の開示】
【発明が解決しようとする課題】
【０００４】  一体型接合金物や分離型接合金物においては、事前に作られた引寄せに効果が有るとされる接合固定に関与する孔、及び接合金物のドリフトピンや固定釘等に掛る荷重を保持するための形状では、その大きめに穿った孔の一方にドリフトピンや固定釘が偏ってしまい引寄せ効果を生じさせる事が出来ない。【０００５】  また、そのドリフトピンや固定釘の接する接合金物とドリフトピン、固定釘外周と接合金物固定孔との間に調整隙間があるため、外力が加わると、接合金物の固定孔縁にドリフトピン、固定釘が接触するまで接合金物の強度が発揮されず、部材同士の初期接合部強度に影響が生じ、ドリフトピン、固定釘の接合金物の固定孔縁に接触するまでの初期耐力の低下が指摘されている。
この現象は上棟した建築物の揺れの原因であり、施工時の安全確保、施工精度にも大きく関わる大問題である。【０００６】  本発明は斯様な情況を鑑み、接合金物の弱点とされている引寄せ機能の強化、木材の割裂防止、受支側接合金物の上端を半円形にすることにより、被受支側接合金物との組み合わせ時の障害をとなる各々の干渉を避け、被受支材側接合金物側面中心付近に半円形突起を設け一定の空間を保持する事により構造部材に加工された溝の空間内でのガタつきの発生を防ぎ、更に接合金物の取り付け等に用いるドリフトピン周囲の調整隙間が原因とされる初期耐力の低下を防止し、接合金物の機能分けによる分離により、接合金物の小型化を目的としたものである。
【発明の効果】
【０００７】  本発明によれば、接合金物を用いた工法では、組み付けた時点で難しいとされている構造部材同士を密着させる事が可能となり、接合部の強度の向上が図れ、且つその引寄せ効果により、構造部材である木材の乾燥による収縮、吸湿による膨潤にも対応し、常に構造部材同士が密着した状態が保たれる。【０００８】  又、施工上では、被受支側接合金物の構造部材内でのガタつきがなく、受支側接合金物の半円形突起により、円滑な受支材側接合金物の被受支材側接合金物への挿入が行なえ、被受支側接合金物が受支側接合金物上端縁に乗せ掛けられる事により事前にドリフトピンを打ち込んでおく事や、構造体の水平、垂直の高精度により、施工現場での調整等に多くの時間を費やす必要が無くなる。【０００９】  又、搬送等流通面に於いては、構造部材側面への突起が小さく荷姿も小型化が図れ、コンパクトな形態で搬送ができる。
【発明の第一実施例】
【００１０】  図中１は、接合部を構成する受支側接合金物が取り付けられた構造部材である柱、或いは梁であり、２は同じく接合部を構成する被受支材側接合金物の取り付けられた構造部材である横架材を示し、受支材側接合金物３はボルト５及び６とナット７、８にてスプリングワッシャーｆを介し構造部材１に取り付けられ固定されている。
又、被受支材側接合金物４はドリフトピンＤ及びＥにて構造部材である横架材２に設けられた二本の溝９に挿入され固定されている。
【００１１】  受支材側接合金物３は受支側構造部材１に取り付けられる際に、その上端部背面及び下端部背面に向かい折り曲げられ設けられた爪状突起Ｌが受支材側接合金物３の取り付けボルト５及び６を締め付ける際に受支側構造部材１にめり込み、上部から下部に向かい係る垂直荷重の方向を内側に向かわせ、受支側構造部材１を、その中心部に向かい締め付け、荷重が掛れば掛るほどこの力は大きくなる。
【００１２】  接合部を構成する際に、被受支材側接合金物４が受支材側接合金物３の上端縁Ｎ、Ｎ’に乗せ掛けられ、その水平、垂直方向の位置が仮固定され、受支材側接合金物３の上端部に設けられた突起ａの傾斜辺ｂに、被受支材２に取り付けられた被受支材側接合金物４と受支材側接合金物３の夫々を結合するドリフトピンＡが打たれ水平方向の位置が固定される。
【００１３】  その時、ドリフトピンＡがその傾斜辺ｂと上端縁Ｎ上に滑り込み、ドリフトピンＡの円形と受支材側接合金物３の傾斜辺ｂに点接触し、円形受支形状と異なり荷重の状態に左右される事無く引寄せ力が発生し、被受支材２を受支材１側に引寄せ接合部に接する構造部材同士１の側面と２の木口を密着させる効果を生じさせている。
【００１４】  同様の接合金物下端に設けられた傾斜辺ｂ’も下からの突き上げる様な荷重（地震荷重等）が作用した場合、ドリフトピンＣにもこの傾斜辺ｂ’を滑り上がるような作用の力になり受支側構造部材１に被受支材側接合金物４を介し、被受支側構造部材２を受支側構造部材１に引寄せる結果になる。
【００１５】  接合金物３に設けられた傾斜辺ｂ，ｂ’により受支側構造部材１が被受支側構造部材２を常に引寄せる効果を阻害する事無く実現させるためには、受支側接合金物３に設けられた接合孔ＦにドリフトピンＢの移動空間Ｂ’が無くてはならず、このドリフトピンの移動可能な孔Ｆは受支材１方向にのみ移動可能な様に移動空間Ｂ’を設け、反対に被受支材側２方向には所定の位置として固定されている楕円形としている。
【００１６】  更に、被受支材２に取り付けられた接合金物４には、その中央部に半円形突起Ｇを設け、接合金物４を被受支材２に取り付ける際の調整代を持った溝９に挿入すると、調整代の範囲でガタつきを生じ揺れや、受支側材と被受支側材との芯ズレの原因となっている。
【００１７】  この揺れや芯ズレを解消するために被受支材側接合金物４の中央部に被受支材２の接合金物挿入溝の幅と同幅になる様に半円形の突起Ｇを設けている。
この溝９に半円形突起Ｇの頂部が接すると、溝９の壁面に被受支材側接合金物４の平板部分が押し付けられ、Ｇを中心に上下、左右に外力が加わったとしても反対側の面が拘束されるため、移動することが無くガタつきを生ずる事が無い。
【発明の第二実施例】
【００１８】  第二実施例は第一実施例同様、受支材側接合金物１０と被受支材側接合金物４に分離し、受支材側接合金物１０の上端を被受支材側接合金物４へ挿入の際の案内機能を持たせた半円形ｈとし、最下部接合固定孔Ｉの被受支材側方向に傾斜辺Ｍを付属させ、受支材側方向に移動可能な様に移動空間Ｋを設けている。
【００１９】  つまり、受支材側接合金物の上端の半円形突起ｈの傾斜ｉと接合固定孔Ｉの傾斜とで第一実施例同様の引寄せ効果を生じさせ、接合固定孔Ｉにも移動空間Ｋを持たせる事により、構造部材同士を密着させている。
【００２０】  更に第一実施例同様に、引寄せ効果を阻害しないため、接合固定孔ＨにもドリフトピンＢの移動空間Ｊを設け引寄せ、吸湿による膨潤や乾燥による収縮した場合の移動を可能とし、最下部接合孔Ｉも孔としている事により鉛直荷重によるせん断力や逆せん断力にも対抗している。
【図面の簡単な説明】
【００２１】
【図１】  受支側接合金物平面図
【図２】  受支側接合金物正面図
【図３】  受支側接合金物右側面図、左側面図は左右対称形に表れる
【図４】  受支側接合金物背面図
【図５】  受支側接合金物底面図
【図６】  被受支側接合金物平面図
【図７】  被受支側接合金物正面図
【図８】  被受支側接合金物右側面図、左側面図は左右対称形に表れる
【図９】  第二実施例受支側接合金物平面図
【図１０】  第二実施例受支側接合金物正面図
【図１１】  第二実施例受支側接合金物右側面図、左側面図は左右対称形に表れる
【図１２】  第二実施例受支側接合金物背面図
【図１３】  第二実施例受支側接合金物底面図
【図１４】  第一実施例の接合状態を示す縦断面図
【図１５】  第二実施例の接合状態を示す縦断面図
【図１６】  第一実施例の受支・被受支側接合金物を構造部材に取り付けた状態を示す斜視図
【図１７】  第二実施例の受支・被受支側接合金物を構造部材に取り付けた状態を示す斜視図
【図１８】  受支側接合金物の背面側に折り曲げられた突起部分の斜視図
【符号の説明】
【００２２】  １        受支側構造部材
２        被受支側構造部材
３        受支材側受支接合金物
４        被受支材側接合金物
５        受支材側接合金物取り付け固定ボルト
６        同上ボルト
７        同上ナット
８        同上ナット
９        被受支材側接合金物取り付け溝
１０        受支材側接合金物
Ａ        ドリフトピン
Ｂ        同上
Ｂ’      ドリフトピン移動空間
Ｃ        ドリフトピン
Ｄ        取り付け固定ドリフトピン
Ｅ        同上
Ｆ        接合固定孔
Ｇ        ガタつき防止突起
Ｈ        接合固定孔
Ｉ        傾斜を持った接合固定孔
Ｊ        接合孔移動空間
Ｋ        同上
Ｍ        接合固定孔に設けられた傾斜辺
Ｎ、Ｎ’  受支材側接合金物上端縁
ａ        半円形挿入ガイド
ａ’      下部挿入ガイド
ｂ、ｂ’  受支側接合金物傾斜辺
ｃ        受支側接合金物取り付け面
ｄ、ｄ’  受支側接合金物取り付けボルト孔
ｅ        ワッシャー
ｇ、ｇ’  受支側接合金物取り付けボルト孔
ｈ        半円形挿入ガイド
ｉ        受支側接合金物傾斜辺
【図１】
2008308973.tif 000003
【図２】
2008308973.tif 000004
【図３】
2008308973.tif 000005
【図４】
2008308973.tif 000006
【図５】
2008308973.tif 000007
【図６】
2008308973.tif 000008
【図７】
2008308973.tif 000009
【図８】
2008308973.tif 000010
【図９】
2008308973.tif 000011
【図１０】
2008308973.tif 000012
【図１１】
2008308973.tif 000013
【図１２】
2008308973.tif 000014
【図１３】
2008308973.tif 000015
【図１４】
2008308973.tif 000016
【図１８】
2008308973.tif 000017
【図１５】
2008308973.tif 000018
【図１６】
2008308973.tif 000019
【図１７】
2008308973.tif 000020